(57)【要約】【課題】ミシンカバーの開放時における作業性を向上させる。【解決手段】動メスと固定メスで布を挟んで切断する布切りメス機構と、Ａ方向への回動によりミシン本体２の内部を開放し、Ｂ方向への回動によりミシン本体２の内部を遮蔽するように設けられたミシンカバー４と、少なくとも一部が布切りメス機構における布の切断部の下方に設けられるとともに、Ｃ方向及びＤ方向にスライド移動自在となるようにミシンカバー４に取り付けられ、Ｃ方向にスライド移動させた状態でミシンカバー４の回動を可能とするスライドカバー５と、を備え、布切りメス機構による布の切断時に切断により発生した布屑をスライドカバー５からミシン本体２の外部に排出するミシン１において、スライドカバー５は、ミシンカバー４のＡ方向への回動に連動して当該スライドカバー５をＣ方向にスライド移動させる開放カム機構６２を備える。【選択図】図５
2006288600.tif 000002
【特許請求の範囲】
【請求項１】
先端が針板上面から出没する動メスと、この動メスの刃先と摺接する刃先を有する固定メスと、を有し、前記動メスと前記固定メスで布を挟んで切断する布切りメス機構と、
ミシン本体の手前側となる第１の方向への回動により前記ミシン本体の内部を開放し、前記第１の方向に対して逆方向となる第２の方向への回動により前記ミシン本体の内部を遮蔽するように設けられたミシンカバーと、
少なくとも一部が前記布切りメス機構における布の切断部の下方に設けられるとともに、前記ミシン本体の左から右に向かう第３の方向及び当該第３の方向の逆方向となる第４の方向にスライド移動自在となるように前記ミシンカバーに取り付けられ、第３の方向にスライド移動させた状態で前記ミシンカバーの回動を可能とするスライドカバーと、を備え、
前記布切りメス機構による布の切断時に、切断により発生した布屑を前記スライドカバーから前記ミシン本体の外部に排出するミシンにおいて、
前記スライドカバーに、前記ミシンカバーの第１の方向への回動に連動して当該スライドカバーを第３の方向にスライド移動させる開放カム機構を設けたことを特徴とするミシン。
【請求項２】
前記スライドカバーに、前記ミシンカバーの第２の方向への回動に連動して当該スライドカバーを第４の方向にスライド移動させる遮蔽カム機構を設けたことを特徴とする請求項１に記載のミシン。
【請求項３】
前記スライドカバーを第４の方向に付勢する付勢部材と、
前記スライドカバーの移動経路上に位置するように設けられた移動規制部材と、を備え、
前記スライドカバーに、前記付勢部材による付勢力が作用した状態で前記移動規制部材に係止されるスライドカバー係止機構を設けたことを特徴とする請求項１又は２に記載のミシン。
【請求項４】
前記開放カム機構と前記遮蔽カム機構を一体に形成したことを特徴とする請求項２又は３に記載のミシン。
【請求項５】
前記開放カム機構と前記遮蔽カム機構と前記スライドカバー係止機構を一体に形成したことを特徴とする請求項３に記載のミシン。
【発明の詳細な説明】
【技術分野】
【０００１】
本発明は、布切りメス機構を備えるミシンに関する。
【背景技術】
【０００２】
従来、ミシンにおいて、動メスを支持する動メス軸の揺動回転により、動メスが針板上面に出没し、固定メスとともに布を切断する布切りメス装置が知られている。布切りメス装置は、針板に設けられた固定メス取付台を有し、この固定メス取付台に固定された固定メスの刃部と、動メス駆動機構により揺動回転される動メスの刃部とが摺接することにより、布搬送機構によって搬送される布を順次切断するものである。
布切りメス装置により布を切断する際には布屑が発生するが、布切りメス装置は針板の下方、すなわち、ミシン本体の内部に設けられているため、発生した布屑はミシン内部に堆積してしまう。そこで、布切りメス装置には、図１２に示すように、発生した布屑を案内する布屑ガイド１０１、布の切断部の下方に延びる布屑カバー１０２が設けられている（例えば、特許文献１参照。）。
【０００３】
布屑カバー１０２は、図１２における左右方向にスライド移動できるように構成されており、右方向にスライド移動させた際にはミシンカバー１０３内に収容されるようになっている。また、ミシンカバー１０３は、布屑カバー１０２を右方向にスライド移動させた状態でその下端部に設けられたヒンジ機構１０４により、図１２における手前側に回動させることができ、ミシン本体の内部を開放できる機構となっている。
布屑カバー１０２には、図１３及び図１４に示すように、スライド板１０５とスライド軸１０６が設けられている。スライド板１０５は、長さ方向に延びるように形成された長孔１０５ａを介してネジ１０７によりミシンカバー１０３の裏面に取り付けられている。すなわち、長孔１０５ａの長さだけスライド移動することができる。スライド軸１０６は、スライドカバー１０５の長さ方向に沿って設けられており、バネ１０８により図１４における右方向（図１３における左方向）に付勢されている。
スライド板１０５の近傍には、ミシンカバー１０３を閉じた際にミシン本体１１０に設けられた固定ピン１１１に係止される係止部材１０９が設けられており、係止部材１０９が固定ピン１１１に係止されることにより、ミシンの振動等でミシンカバー１０３が外れないようになっている。
【特許文献１】特開２００４−３２１５３２号公報
【発明の開示】
【発明が解決しようとする課題】
【０００４】
しかし、布屑カバー１０２は布屑ガイド１０１の下方にまでわたって存在しているため、糸通しやメンテンスのためにミシンカバー１０３を開放する際には、図１５に示すように、まず、布屑カバー１０２をＳ方向にスライド移動させて布屑ガイド１０１の下方に布屑カバー１０２が存在しないようにした後、ミシンカバー１０３をＴ方向に回動させるという二段階の操作が必要であった。そのため、布屑ガイド１０１と布屑カバー１０２との接触に注意しつつミシンカバー１０３の開放を行わなければならないため、作業性が悪いという問題があった。
【０００５】
そこで、本発明は、上記課題を解決するためになされたものであり、ミシンカバーを開放する際の作業性を向上させることができるミシンを提供することを目的とする。
【課題を解決するための手段】
【０００６】
以上の課題を解決するため、請求項１に記載の発明は、先端が針板上面から出没する動メスと、この動メスの刃先と摺接する刃先を有する固定メスと、を有し、前記動メスと前記固定メスで布を挟んで切断する布切りメス機構と、ミシン本体の手前側となる第１の方向への回動により前記ミシン本体の内部を開放し、前記第１の方向に対して逆方向となる第２の方向への回動により前記ミシン本体の内部を遮蔽するように設けられたミシンカバーと、少なくとも一部が前記布切りメス機構における布の切断部の下方に設けられるとともに、前記ミシン本体の左から右に向かう第３の方向及び当該第３の方向の逆方向となる第４の方向にスライド移動自在となるように前記ミシンカバーに取り付けられ、第３の方向にスライド移動させた状態で前記ミシンカバーの回動を可能とするスライドカバーと、を備え、前記布切りメス機構による布の切断時に、切断により発生した布屑を前記スライドカバーから前記ミシン本体の外部に排出するミシンにおいて、前記スライドカバーに、前記ミシンカバーの第１の方向への回動に連動して当該スライドカバーを第３の方向にスライド移動させる開放カム機構を設けたことを特徴とする。
【０００７】
ここで、ミシン本体の手前側となる第１の方向とは、ミシンを操作するオペレータがミシン本体に対峙した際にオペレータ側に向かう方向（実施形態におけるＡ方向）をいい、第２の方向とは、ミシンを操作するオペレータがミシン本体に対峙した際にオペレータから遠ざかる方向（実施形態におけるＢ方向）をいう。
また、ミシン本体の左から右に向かう第３の方向とは、ミシンを操作するオペレータがミシン本体に対峙した際にオペレータからみてミシン本体の左側から右側に向かう方向（実施形態におけるＣ方向）をいい、第４の方向とは、ミシンを操作するオペレータがミシン本体に対峙した際にオペレータからみてミシン本体の右側から左側に向かう方向（実施形態におけるＤ方向）をいう。
【０００８】
請求項１に記載の発明によれば、スライドカバーには開放カム機構が設けられているので、ミシンカバーをミシン本体の手前側となる第１の方向に回動させてミシン内部を開放する際には、開放カム機構はミシンカバーの第１の方向への回動に連動して、スライドカバーをミシンカバーの回動が可能となるミシン本体の左から右に向かう第３の方向にスライド移動させる。
これにより、ミシンカバーを第１の方向に回動させるという一つの動作でスライドカバーも第３の方向にスライド移動させることができるので、スライドカバーをスライドさせてからミシンカバーを開放させる必要がなくなり、ミシンカバーを開放する際の作業性を向上させることができる。
【０００９】
請求項２に記載の発明は、請求項１に記載のミシンにおいて、前記スライドカバーに、前記ミシンカバーの第２の方向への回動に連動して当該スライドカバーを第４の方向にスライド移動させる遮蔽カム機構を設けたことを特徴とする。
【００１０】
請求項２に記載の発明によれば、スライドカバーには遮蔽カム機構が設けられているので、ミシンカバーを第２の方向に回動させてミシン内部を遮蔽する際には、遮蔽カム機構はミシンカバーの第２の方向への回動に連動して、スライドカバーを第４の方向にスライド移動させる。
これにより、ミシンカバーを第２の方向に回動させるという一つの動作でスライドカバーも第４の方向にスライド移動させることができるので、ミシンカバーを戻した後にスライドカバーを元の位置にスライドさせる必要がなく、ミシンカバーを遮蔽する際の作業性を向上させることができる。
【００１１】
請求項３に記載の発明は、請求項１又は２に記載のミシンにおいて、前記スライドカバーを第４の方向に付勢する付勢部材と、前記スライドカバーの移動経路上に位置するように設けられた移動規制部材と、を備え、前記スライドカバーに、前記付勢部材による付勢力が作用した状態で前記移動規制部材に係止されるスライドカバー係止機構を設けたことを特徴とする。
【００１２】
請求項３に記載の発明によれば、スライドカバーは付勢部材により第４の方向に付勢されているが、スライドカバー係止機構はその付勢力が作用した状態で移動規制部材に係止される。すなわち、スライドカバーに作用する付勢力は、ミシンカバーが開放されようとする際にミシンカバーに作用する力の抗力となる。
これにより、ミシンの振動等のように意図しない要因でミシンカバーが開放されてしまうことを防止できる。
【００１３】
請求項４に記載の発明は、請求項３に記載のミシンにおいて、前記開放カム機構と前記遮蔽カム機構を一体に形成したことを特徴とする。
【００１４】
請求項４に記載の発明によれば、開放カム機構と遮蔽カム機構を一体に形成することにより、部品点数を減らすことができ、コスト低減、軽量化を図ることができる。
【００１５】
請求項５に記載の発明は、請求項３に記載のミシンにおいて、前記開放カム機構と前記遮蔽カム機構と前記スライドカバー係止機構を一体に形成したことを特徴とする。
【００１６】
請求項５に記載の発明によれば、開放カム機構と遮蔽カム機構とスライドカバー係止機構を一体に形成することにより、部品点数を減らすことができ、コスト低減、軽量化を図ることができる。
【発明の効果】
【００１７】
請求項１に記載の発明によれば、ミシンカバーをミシン本体の手前側となる第１の方向に回動させるという一つの動作でスライドカバーもミシン本体の左から右に向かう第３の方向にスライド移動させることができるので、スライドカバーをスライドさせてからミシンカバーを開放させる必要がなくなり、ミシンカバーを開放する際の作業性を向上させることができる。
【００１８】
請求項２に記載の発明によれば、ミシンカバーを第２の方向に回動させるという一つの動作でスライドカバーも第４の方向にスライド移動させることができるので、ミシンカバーを戻した後にスライドカバーを元の位置にスライドさせる必要がなく、ミシンカバーを遮蔽する際の作業性を向上させることができる。
【００１９】
請求項３に記載の発明によれば、ミシンの振動等のように意図しない要因でミシンカバーが開放されてしまうことを防止できる。
【００２０】
請求項４に記載の発明によれば、開放カム機構と遮蔽カム機構を一体に形成することにより、部品点数を減らすことができ、コスト低減、軽量化を図ることができる。
【００２１】
請求項５に記載の発明によれば、開放カム機構と遮蔽カム機構とスライドカバー係止機構を一体に形成することにより、部品点数を減らすことができ、コスト低減、軽量化を図ることができる。
【発明を実施するための最良の形態】
【００２２】
以下、図面を参照して、本発明に係るミシンの最良の形態について詳細に説明する。
＜ミシンの構成＞
図１に示すように、ミシン１は、ミシン１を駆動させるミシンモータやその他の駆動機構が内蔵されるミシン本体２と、ミシン本体２に設けられるとともに針板２１上に載置された布をその送り動作に合わせて切断する布切りメス機構３と、ミシン本体２の内部を遮蔽し、埃の進入や外部の衝撃から各駆動機構を保護するミシンカバー４と、ミシンカバー４に対してスライド移動可能に設けられたスライドカバー５と、を備えている。
【００２３】
ミシン本体２は、縫い針２２を保持する針棒を上下動させる針棒駆動機構等を備えており、ミシンモータの駆動に連動して駆動するようになっている。また、縫い針２２の上死点と下死点との間には、縫製される布を載置するための針板２１が設けられている。
【００２４】
布切りメス機構３は、針板２１の下方に設けられ、布の切断位置が針板２１とほぼ同じ高さとなるように設置されている。
布切りメス機構３は、先端が針板２１上面から出没する動メス３１と、この動メス３１の刃先と摺接する刃先を有する固定メス３２と、を有し、動メス３１と固定メス３２で布を挟んで切断する。
また、布切りメス機構３は、動メス３１と固定メス３２による布の切断時に切断により発生した布屑をミシン本体２の内部から外部に導く布屑ガイド３３を備えており、布屑は布屑ガイド３３からスライドカバー５を伝って排出される。布屑ガイド３３の先端は折り返されるように湾曲されており、布屑が上方に飛散しないようにされている。また、布屑ガイド３３は動メス３１と固定メス３２による布の切断部からスライドカバー５に向けて下方に傾斜するように取り付けられており、その傾斜により布屑はスライドカバー５の方に導かれるようになっている。
【００２５】
ミシンカバー４は、ミシン本体２に設けられた各駆動機構等を外部から遮蔽するものであり、主に針板２１より下方にある駆動機構や、布切りメス機構３をミシン本体２の上面側と側面側から遮蔽する。
ミシンカバー４は、屈曲された板材から成形されており、その一端縁がミシン本体２の下端部に設けられたヒンジ機構２３により回動自在に取り付けられている。すなわち、ミシンカバー４は、図２におけるミシン本体２の手前方向Ａ（第１の方向）への回動によりミシン本体２の内部を開放し、ミシン本体２の奥側、換言すれば第１の方向と逆方向Ｂ（第２の方向）への回動によりミシン本体２の内部を遮蔽することができるように構成されている。
【００２６】
また、ミシンカバー４には、スライドカバー５が取り付けられる位置に開口部４０ａが形成されており、スライドカバー５が外部に露出するようになっている。これは、布屑を容易に排出するためである。
また、ミシンカバー４には、ヒンジ機構２３を支点にミシンカバー４をＡ方向及びＢ方向に回動させる際にオペレータが把持するための把持部４１が形成されている。
【００２７】
スライドカバー５は、布切りメス機構３側の端部が布切りメス機構３における布の切断部（動メス３１と固定メス３２の摺接部分）の下方に潜り込むように設けられるとともに、ミシンカバー４の右方向Ｃ（ミシン本体の左から右に向かう第３の方向）及び当該Ｃ方向の逆方向となる左方向Ｄ（第４の方向）にスライド移動自在となるようにミシンカバー４に取り付けられている。また、スライドカバー５は、Ｃ方向にスライド移動させた際に当該スライドカバー５の布切りメス機構３側の一端部が布屑ガイド３３と重ならない位置まで移動した状態（図３に示す状態）でミシンカバー４のＡ方向及びＢ方向への回動を可能としている。
【００２８】
図４〜図７に示すように、スライドカバー５は、布屑ガイド３３から導かれた布屑を外部に排出するとともに、ミシン本体２の内部への進入を防ぐものであり、スライドカバー５のミシンカバー４側の端部には、当該スライドカバー５のスライド方向に延びるスライド軸５１が設けられている。スライド軸５１は、その一端部がミシンカバー４に設けられた軸受４２に挿通されて支持されており、スライド軸５１の一端部は、付勢部材としてのバネ５２によりＤ方向に付勢されている。このバネ５２は、軸受４２とＤ方向に沿って並んで設けられた軸受４３により一端部が支持されており、他端部でスライド軸５１をＤ方向に付勢するように設けられている。また、バネ５２にはスライド軸５１が通されており、付勢力がスライド軸５１の軸線方向にのみ作用するようになっている。
【００２９】
また、スライドカバー５のミシンカバー４側の端部には、スライドカバー５のスライド方向に延びるスライド板５４が設けられている。スライド板５４には、長手方向に沿って二つの長孔５４ａ，５４ｂが形成されており、一方の長孔５４ａは、スライド板５４の端部に形成され、この長孔５４ａを介してネジ５５ａにより軸受４３に取り付けられている。他方の長孔５４ｂは、スライド板５４の中腹に形成され、この長孔５４ｂを介してネジ５５ｂにより軸受４２に取り付けられている。すなわち、スライドカバー５は、長孔５４ａ，５４ｂの長さだけＣ方向及びＤ方向へのスライド移動が可能となる。
【００３０】
また、スライド板５４の長手方向の中央付近には、ミシン本体２に対してミシンカバー４を開閉させるためのカム部６が形成されている。
カム部６は、スライド板５４の側縁からＣ方向に向けて傾斜する第１の傾斜部６１が形成され、第１の傾斜部６１の終端部からは、Ｄ方向に向けて傾斜する第２の傾斜部６２が形成されている。すなわち、第１の傾斜部６１と第２の傾斜部６２とでＶ字状の溝６０を形成している。
【００３１】
さらに、第２の傾斜部６２の終端部からは、スライド板５４の長手方向に略直交する方向に延びる待ち部６３が形成され、待ち部６３の終端部からは、Ｃ方向に向けて傾斜する第３の傾斜部６４が形成されている。さらに、第３の傾斜部６４の終端部からは、スライド板５４の長手方向に沿って延びる待ち部６５が形成され、待ち部６５の終端部からは、Ｃ方向に向けてスライド板５４に近づくように傾斜する第４の傾斜部６６が形成され、第４の傾斜部６６の終端部とスライド板５４の側縁とが一致するように形成されている。
【００３２】
また、図４に示すように、ミシン本体２には、ミシンカバー４を閉じた際にスライド板５４の移動経路上に位置するように設けられた移動規制部材としての固定ピン７が備えられている。この固定ピン７は、ミシン本体２に対して上方に突出するように設けられており、ミシンカバー４を閉じた際にカム部６に係止され、ミシンカバー４の開閉動作や、スライドカバー５のスライド移動を規制するものである。
【００３３】
具体的には、ミシンカバー４を閉じた際に、固定ピン７は、カム部６に形成された第１の傾斜部６１と第２の傾斜部６２とで形成された溝６０に嵌り込むようになっている。また、カム部６は、スライドカバー５に付勢力が作用した状態（バネ５２が自然長になる前の状態）で固定ピン７に係止されるようになっている。すなわち、溝６０は、固定ピン７と当接することにより、スライドカバー係止機構として機能する。
【００３４】
また、ミシンカバー４を閉じた状態では、カム部６の第２の傾斜部６２と固定ピン７とが当接しており、ミシンカバー４をＡ方向に回動させることにより第２の傾斜部６２は固定ピン７によりＡ方向への移動が規制され、その傾斜によりカム部６がＣ方向へ移動するように案内される。すなわち、第２の傾斜部６２は、固定ピン７と当接することにより、ミシンカバー４のＡ方向への回動に連動してスライドカバー５をＣ方向にスライド移動させる開放カム機構として機能する。
【００３５】
また、ミシンカバー４を開けた状態から閉じる際には、カム部６の第３の傾斜部６４と固定ピン７とが当接するため、ミシンカバー４をＢ方向に回動させることにより第３の傾斜部６４は固定ピン７によりＢ方向への移動が規制され、その傾斜によりカム部６がＣ方向へ移動するように案内される。すなわち、第３の傾斜部６４は、固定ピン７と当接することにより、ミシンカバー４のＢ方向への回動に連動してスライドカバー５をＣ方向にスライド移動させる遮蔽カム機構として機能する。
【００３６】
従って、ミシンカバー４の開放に連動してスライドカバー５をスライド移動させる開放カム機構と、ミシンカバー４の遮蔽に連動してスライドカバー５をスライド移動させる遮蔽カム機構と、ミシンカバー４を係止するスライドカバー係止機構とが一つのカム部６に一体に形成されている。
【００３７】
＜ミシンカバーの開閉動作＞
次に、ミシンカバー４の開閉動作について説明する。
図２に示すように、ミシンカバー４を閉じた状態からミシンカバー４を開放する際には、把持部４１をＡ方向に回動させる。ミシンカバー４をＡ方向に回動させると、ミシンカバー４に軸受４２及び軸受４３を介して取り付けられているスライド板５４のカム部６もＡ方向に移動しようとするが、カム部６の溝６０が固定ピン７に係止されているため、カム部６はＡ方向に移動することができない。しかし、固定ピン７に当接し、溝６０を形成する第２の傾斜部６２により、図８及び図９に示すように、カム部６は固定ピン７にガイドされつつ、その傾斜方向に沿って移動する。ここで、第２の傾斜部６２に作用する力は、Ａ方向への成分とＣ方向への成分との合力であるため、カム部６はＣ方向に移動し、カム部６がＣ方向に移動することによりスライド板５４、スライドカバー５もＣ方向にスライド移動する。
【００３８】
そして、固定ピン７が待ち部６３の位置まで来ると、カム部６のＡ方向への移動は固定ピン７により阻害されることが無くなるので、カム部６と固定ピン７の係合が解除され、ミシンカバー４を開放させることができる。
これにより、ミシンカバー４をＡ方向に回動させるだけで、スライドカバー５はＣ方向にスライド移動するため、スライドカバー５が布屑ガイド３３に接触してミシンカバー４の開放が阻害されることはない。
【００３９】
一方、図４に示すように、ミシンカバー４を開けた状態からミシンカバー４を閉じる際には、把持部４１をＢ方向に回動させる。ミシンカバー４を閉じると、ミシンカバー４に軸受４２及び軸受４３を介して取り付けられているスライド板５４のカム部６もＢ方向に移動しようとするが、カム部６が固定ピン７に接触するため、カム部６はＢ方向に移動することができない。しかし、固定ピン７に当接する第３の傾斜部６４により、図１０及び図１１に示すように、カム部６は固定ピン７にガイドされつつ、その傾斜方向に沿って移動する。ここで、第３の傾斜部６４に作用する力は、Ｂ方向への成分とＣ方向への成分との合力であるため、カム部６はＣ方向に移動し、カム部６がＣ方向に移動することによりスライド板５４、スライドカバー５もＣ方向にスライド移動する。
【００４０】
そして、固定ピン７が待ち部６３の位置まで来ると、カム部６のＢ方向への移動は固定ピン７により阻害されることが無くなるので、カム部６はＢ方向に移動する。さらに、固定ピン７が第２の傾斜部６２の位置まで来ると、バネ５２の付勢力によりカム部６は溝６０が固定ピン７に係止されるまでＤ方向に移動し、ミシンカバー４でミシン本体２を遮蔽することができる。
これにより、ミシンカバー４をＢ方向に回動させるだけで、スライドカバー５はＣ方向，Ｄ方向にスライド移動するため、カム部６が固定ピン７に接触してミシンカバー４によるミシン本体２の遮蔽が阻害されることはない。
【００４１】
なお、ミシンカバー４を閉じた状態では、バネ５２の付勢力により、カム部６が固定ピン７を押さえ付けているため、ミシンカバー４がミシン駆動時の振動等によって容易に外れない。
【００４２】
＜ミシンの作用効果＞
実施形態のミシン１によれば、カム部６には第２の傾斜部６２が形成されているので、ミシンカバー４をＡ方向に回動させてミシン本体２の内部を開放する際には、カム部６はミシンカバー４のＡ方向への回動に連動して、スライドカバー５をミシンカバー４の回動が可能となるＣ方向にスライド移動させる。
これにより、ミシンカバー４をＡ方向に回動させるという一つの動作でスライドカバー５もＣ方向にスライド移動させることができるので、スライドカバー５をスライドさせてからミシンカバー４を開放させる必要がなくなり、ミシンカバー４を開放する際の作業性を向上させることができる。
【００４３】
また、カム部６には第３の傾斜部６４が形成されているので、ミシンカバー４をＢ方向に回動させてミシン本体２の内部を遮蔽する際には、カム部６はミシンカバー４のＢ方向への回動に連動して、スライドカバー５をＣ方向にスライド移動させる。
これにより、ミシンカバー４をＢ方向に回動させるという一つの動作でスライドカバー５もＣ方向にスライド移動させることができるので、スライドカバー５をスライドさせてからミシンカバー４を閉じる必要がなくなり、ミシンカバー４を遮蔽する際の作業性を向上させることができる。
【００４４】
また、スライドカバー５はバネ５２によりＤ方向に付勢されているが、カム部６の溝６０は、その付勢力が作用した状態で固定ピン７に係止される。すなわち、溝６０から固定ピン７に作用する付勢力は、ミシンカバー４が開放されようとする際にミシンカバー４に作用する力の抗力となる。
これにより、ミシン１の振動等のように意図しない要因でミシンカバー４が開放されてしまうことを防止できる。
【００４５】
また、ミシンカバー４の開放に連動してスライドカバー５をスライド移動させる第２の傾斜部６２と、ミシンカバー４の遮蔽に連動してスライドカバー５をスライド移動させる第３の傾斜部６４と、ミシンカバー４を固定ピン７により係止する溝６０とが一つのカム部６に一体に形成されているので、各部を別個の部材で形成する場合に比べて部品点数を減らすことができ、コスト低減、軽量化を図ることができる。
【図面の簡単な説明】
【００４６】
【図１】ミシンにおける布切りメス機構付近の概略構成を示す斜視図である。
【図２】ミシンカバーの正面側からの斜視図である。
【図３】図２において、スライドカバーが移動したときのミシンカバーの正面側からの斜視図である。
【図４】ミシンカバーを開放したときのミシンカバーの裏側の概略構成を示す斜視図である。
【図５】スライドカバーの構成を示す斜視図である。
【図６】スライドカバーの構成を示す平面図である。
【図７】図６におけるVII−VII断面図である。
【図８】ミシンカバーを開放する際のスライド板の動作を説明する図である。
【図９】ミシンカバーを開放する際のスライド板の動作を説明する図である。
【図１０】ミシンカバーを閉じる際のスライド板の動作を説明する図である。
【図１１】ミシンカバーを閉じる際のスライド板の動作を説明する図である。
【図１２】従来技術におけるミシンカバーの正面側からの斜視図である。
【図１３】従来技術におけるミシンカバーを開放したときのミシンカバーの裏側の概略構成を示す斜視図である。
【図１４】従来技術におけるスライドカバーの構成を示す斜視図である。
【図１５】図１２において、スライドカバーが移動したときのミシンカバーの正面側からの斜視図である。
【符号の説明】
【００４７】
１  ミシン
２  ミシン本体
３  布切りメス機構
４  ミシンカバー
５  スライドカバー
７  固定ピン（移動規制部材）
２１  針板
３１  動メス
３２  固定メス
５２  バネ（付勢部材）
６０  溝（スライドカバー係止機構）
６２  第２の傾斜部（開放カム機構）
６４  第３の傾斜部（遮蔽カム機構）
Ａ  第１の方向
Ｂ  第２の方向
Ｃ  第３の方向
Ｄ  第４の方向
【図１】
2006288600.tif 000003
【図２】
2006288600.tif 000004
【図３】
2006288600.tif 000005
【図４】
2006288600.tif 000006
【図５】
2006288600.tif 000007
【図６】
2006288600.tif 000008
【図７】
2006288600.tif 000009
【図８】
2006288600.tif 000010
【図９】
2006288600.tif 000011
【図１０】
2006288600.tif 000012
【図１１】
2006288600.tif 000013
【図１２】
2006288600.tif 000014
【図１３】
2006288600.tif 000015
【図１４】
2006288600.tif 000016
【図１５】
2006288600.tif 000017